(57)【要約】      （修正有）【課題】新たにあるいは既成の防護壁などを設けることなく小便の便器外への飛散を防止する便器用小便飛散防止具を提供する。【解決手段】便器用小便飛散防止具２は、便器１内の壁面に設置され、便器１内に小水が放水された場合にその小水の勢いを軽減させ、便器１の外部への小水の飛散を軽減させる。また、より好ましくは、便器用小便飛散防止具２は、その表面に旗状のスポンジ材を設ける。【選択図】図１
2017057703.tif 000002
【特許請求の範囲】
【請求項１】
便器（１）において、該便器内の壁面に該便器内に小水が放水された場合にその小水の勢いを軽減させる部材（２）を設置し、便器（１）の外部への小水の飛散を軽減させることを特徴とする便器用小便飛散防止具。
【請求項２】
小水の勢いを軽減させる部材（２）はその表面に旗状（３）のスポンジ材を設けたことを特徴とする請求項１に記載の便器用小便飛散防止具。
【請求項３】
小水の勢いを軽減させる部材（２）はその表面に針状（４）のスポンジ材を設けたことを特徴とする請求項１に記載の洋式便器用小便飛散防止具。
【請求項４】
小水の勢いを軽減させる部材（２）はその表面に凹凸（５）を設けたことを特徴とする請求項１に記載の便器用小便飛散防止具。
【請求項５】
小水の勢いを軽減させる部材（２）はリング状（６）として便器内の側壁に乗せる形状とすることで放水の勢いを軽減させるとともに、着脱を容易とすることを特徴とする請求項１に記載の便器用小便飛散防止具。
【請求項６】
小水の勢いを軽減させる部材（２）としてプラスチック状（７）の部材とすることを特徴とする請求項１、２、３、４及び５に記載の便器用小便飛散防止具。
【請求項７】
小水の勢いを軽減させる部材（２）として排水用の水に徐々に溶ける部材（８）とすることを特徴とする請求項１、２、３、４及び５に記載の便器用小便飛散防止具。
【請求項８】
該便器用小便飛散防止具に用いられる便器は洋式用便器であっても和式用便器であっても男性用小便器であっても良いことを特徴とする請求項１、２、３、４及び５に記載の便器用小便飛散防止具。
【発明の詳細な説明】
【技術分野】
【０００１】本発明は、便器の内、主に洋式用便器において、主に男性が行う放尿による小水の便器外への飛散を防止し、かつ便器内の掃除も簡単に行える洋式便器に備え付ける器具に関するものである。
【背景技術】
【０００２】便器において男性が立って行う放尿に際して便器内の壁面にぶつかった小水が跳ね返って便器の外側に跳ね飛び便器外を汚すことになる。従来は該跳ね飛びを防止するために便器の全面並びに側面に跳ね飛びを止めるための板状の防護壁を設けるのが一般的であった。しかし、便器に既存的に防護壁を設ける場合、その設備が膨大になるばかりではなく、そのための空間も大きくなる等、不具合が多く生じていた。そのため、設備が膨大にならず、簡便に備付けられる小便の飛散防止用の器具が必要であった。【０００３】  従来、小便の飛散を防止するための防護壁を設けるもの（例えば、特開２０１４−２００６６３号公報）がある。また、小便をスポンジ状の壁面に当てて飛散を防止させるもの（例えば、特開２００６−００９４４４号公報）がある。
【先行技術文献】
【特許文献】
【０００４】
【特許文献１】特開２０１４−２００６６３
【特許文献２】特開２００６−００９４４４
【発明の概要】
【発明が解決しようとする課題】
【０００５】特許文献１は便器の前面及び左右に小便の便器外への飛散を防ぐための防護用の板を設けて飛散を防止されるだけのもので、簡便かつ便利な使い方ができず、特許文献２は特に男性用小便器の小便があたる部分にスポンジ状の物体を設けて小便の跳ね返りを和らげようとするものであるが、これを男女兼用の洋式便器に設けるのは難しいものがある。【０００６】本発明は、この課題を実現するために、便器の内側に小便の放尿の勢いを和らげる器具を設け、新たにあるいは既成の防護壁などを設けることなく小便の便器外への飛散を防止するための器具を提供することにある。
【課題を解決するための手段】
【０００７】（請求項１）本発明に係る便器用小便飛散防止具は便器に放水された小便をその表面で受け止めその放水圧を軽減させる機能を包含している。【０００８】（請求項２）本発明に係る便器用小便飛散防止具は便器に放水された小便をその表面に設けた旗状の突起物で受け止めその放水圧を軽減させる機能を包含している。【０００９】（請求項３）本発明に係る便器用小便飛散防止具は便器に放水された小便をその表面に設けた針状の突起物で受け止めその放水圧を軽減させる機能を包含している。【００１０】（請求項４）本発明に係る便器用小便飛散防止具は便器に放水された小便をその表面に設けた凹凸状の突起物で受け止めその放水圧を軽減させる機能を包含している。【００１１】（請求項５）本発明に係る便器用小便飛散防止具はリング状として便器内の側壁に乗せる形状とし、その表面を請求項１，２、３又は４に記載の形状とすることで放水の勢いを軽減させるとともに、着脱を容易とさせる機能を包含している。【００１２】（請求項６）本発明に係る便器用小便飛散防止具はその材料をプラスチックとし簡便性と耐久性を高める機能を包含している。【００１３】（請求項７）本発明に係る便器用小便飛散防止具はその材料を排水用の水に徐々に溶ける部材とし簡便性を高める機能を包含している。【００１４】（請求項８）本発明に係る便器用小便飛散防止具は洋式用便器においても、和式用便器においても男性小便器においても放水された小便をその表面で受け止めその放水圧を軽減させる機能を包含している。
【発明の効果】
【００１５】（請求項１）本発明に係る便器用小便飛散防止具によれば、便器に放水された小便において、特に男性により立って放水を行った場合に、その表面で受け止めその放水圧を軽減させることができ、放水が便器の側壁に当たり、それが跳ね返り、便器外に飛散し、便所内を汚染させることを極力軽減することが可能となる。【００１６】請求項２によれば、該防止具の表面を旗状の突起物にすることで、便器に放水された小便を、その表面の旗状の突起物が受け止めその放水圧を軽減させることができ、放水が便器の側壁に当たり、それが跳ね返り、便器外に飛散し、便所内を汚染させることを極力軽減することが可能となる。【００１７】請求項３によれば、該防止具の表面を針状の突起物にすることで、便器に放水された小便を、その表面の旗状の突起物が受け止めその放水圧を軽減させることができ、放水が便器の側壁に当たり、それが跳ね返り、便器外に飛散し、便所内を汚染させることを極力軽減することが可能となる。【００１８】請求項４によれば、該防止具の表面を針状の突起物にすることで、便器に放水された小便を、その表面の凹凸により受け止めその放水圧を軽減させることができ、放水が便器の側壁に当たり、それが跳ね返り、便器外に飛散し、便所内を汚染させることを極力軽減することが可能となる。【００１９】請求項５によれば、該防止具をリング状として便器内の側壁に乗せる形状とし、その表面を請求項１，２、３又は４に記載の構造の突起物にすることで、便器に放水された小便を、その表面の形状で受け止めその放水が便器の側壁に当たり、それが跳ね返り、便器外に飛散し、便所内を汚染させることを極力軽減させるとともに、着脱を容易とすることが可能となる。【００２０】請求項６によれば、該防止具をプラスチック製とすることで、便器に放水された小便を、その表面の形状で受け止めその放水が便器の側壁に当たり、それが跳ね返り、便器外に飛散し、便所内を汚染させることを極力軽減させるとともに、その装着、着脱及び耐久性を容易とすることが可能となる。【００２１】請求項７によれば、該防止具を排水用の水に徐々に溶ける部材とすることで、便器に放水された小便を、その表面の形状で受け止めその放水が便器の側壁に当たり、それが跳ね返り、便器外に飛散し、便所内を汚染させることを極力軽減させるとともに、その取外しを省略でき使用が容易となる。【００２２】請求項８によれば、便器用小便飛散防止具は洋式用便器においても、和式用便器においても男性小便器においても放水された小便をその表面で受け止めその放水圧を軽減させることが可能となる。
【図面の簡単な説明】
【００２３】
【図１】便器に装着された洋式便器用小便飛散防止具の概念図である。
【図２】便器用小便飛散防止具の表面の説明図である。
【図３】リング状とした便器用小便飛散防止具の説明図である。
【図４】便器用小便飛散防止具の基盤材料を排水用の水で徐々に溶けるものとした場合の説明図である。
【発明を実施するための形態】
【００２４】以下に、この発明の実施の形態を、図面を参照して、説明する。
（請求項１）図１で、本発明に係る便器用小便飛散防止具は便器内の壁面に装着され、放水された小便が該防止具の表面にあたると、その表面の突起物で受け止めその放水圧を軽減させることが可能となる。
【００２５】（請求項２）図２で、本発明に係る便器用小便飛散防止具は、その表面に旗状の突起物が設けられ、放水された小便が該防止具の表面にあたると、その表面の突起物で受け止めその放水圧を軽減させることが可能となる。
【００２６】（請求項３）図２で、本発明に係る便器用小便飛散防止具は、その表面に針状の突起物が設けられ、放水された小便が該防止具の表面にあたると、その表面の突起物で受け止めその放水圧を軽減させることが可能となる。
【００２７】（請求項４）図２で、本発明に係る便器用小便飛散防止具は、その表面に設けた凹凸により、放水された小便が該防止具の表面にあたると、その表面の突起物で受け止めその放水圧を軽減させることが可能となる。
【００２８】（請求項５）図３で、本発明に係る便器用小便飛散防止具は、リング状として便器内の側壁に乗せる形状とし、その表面の突起物により、便器に放水された小便を、その表面の形状で受け止めその放水が便器の側壁に当たり、それが跳ね返り、便器外に飛散し、便所内を汚染させることを極力軽減させるとともに、着脱を容易とすることが可能となる。
【００２９】（請求項６）図４で、本発明に係る便器用小便飛散防止具の材料をプラスチックとすることで、その装着、着脱及び耐久性を容易とすることが可能となる。
【００３０】（請求項７）図４で、本発明に係る便器用小便飛散防止具の材料を排水用の水に徐々に溶ける部材とすることで、便器に放水された小便を、その表面の形状で受け止めその放水が便器の側壁に当たり、それが跳ね返り、便器外に飛散し、便所内を汚染させることを極力軽減させるとともに、その取外しを省略でき使用が容易となる。
【００３１】（請求項８）図１で、本発明に係る便器用小便飛散防止具は便器が洋式用便器においても、和式用便器においても又、男性小便器においても放水された小便をその表面で受け止めその放水圧を軽減させることが可能となる。
【実施例】
【００３２】  図１は本発明に係る便器用小便飛散防止具の使用状態及び便器に放水された小便の飛散防止状況を示したものである。【００３３】便器１に装着された便器用小便飛散防止具２に放水された小便において、特に男性により立って放水を行った場合に、その放水を洋式便器用小便飛散防止具２の表面に設けた突起物３、４又は５で受け止めその放水圧を軽減させ、放水が便器の側壁に当たり、それが跳ね返り、便器外に飛散し、便所内を汚染させることを極力軽減させることが可能となる。
【符号の説明】
【００３４】１    洋式用便器
１ａ  和式用便器
１ｂ  男性小便器
２    便器用小便飛散防止具
３    表面が旗状の便器用小便飛散防止具
４    表面が針状の便器用小便飛散防止具
５    表面が凹凸状の便器用小便飛散防止具
６    リング型の便器用小便飛散防止具
７    基板材料がプラスチックである便器用小便飛散防止具
８    基板材料が排水用の水に徐々に溶ける部材である便器用小便飛散防止具
【図１】
2017057703.tif 000003
【図２】
2017057703.tif 000004
【図３】
2017057703.tif 000005
【図４】
2017057703.tif 000006